(57)【特許請求の範囲】
【請求項１】
マット本体に対して交互に小根太を一定間隔で挿入して成る温水マットにおいて、
前記小根太間を迂回させながら３本の放熱パイプを配管したこと、
前記温水マットの一端に、１本の放熱パイプに結ばれた温水往きヘッダーと、２本の放熱パイプに結ばれた温水戻りヘッダーを取り付けたこと、
前記温水往きヘッダーと温水戻りヘッダーが取り付けられた位置の反対側であって、３本の放熱パイプの端末に、３本の放熱パイプを相互に連通する端末ヘッダーを取り付けたこと、
熱源機側から前記温水往きヘッダー内に供給された温水は、前記１本の放熱パイプを経由して前記端末ヘッダーに至り、ここで前記２本の放熱パイプに分岐され、この２本の放熱パイプを経由して前記戻りヘッダーに戻り、熱源機側に戻される構成から成る、ことを特徴とする床暖房用温水マット。
【請求項２】
マット本体に対して交互に小根太を一定間隔で挿入して成る温水マットにおいて、
前記小根太間を迂回させながら３本の放熱パイプを配管したこと、
前記温水マットの一端に、２本の放熱パイプに結ばれた温水往きヘッダーと、１本の放熱パイプに結ばれた温水戻りヘッダーを取り付けたこと、
前記温水往きヘッダーと温水戻りヘッダーが取り付けられた位置の反対側であって、３本の放熱パイプの端末に、３本の放熱パイプを相互に連通する端末ヘッダーを取り付けたこと、
熱源機側から前記温水往きヘッダー内に供給された温水は、前記２本の放熱パイプを経由して前記端末ヘッダーに至り、ここで前記１本の放熱パイプに集結され、前記１本の放熱パイプを経由して前記戻りヘッダーに戻り、熱源機側に戻される構成から成る、ことを特徴とする床暖房用温水マット。
【請求項３】
放熱パイプの配管ピッチを任意に変えて成る請求項１又は２記載の床暖房用温水マット。
【発明の詳細な説明】
【０００１】
【産業上の利用分野】
本発明は、フローリング床等の下に施工される床暖房用温水マットに関する。
【０００２】
【従来の技術】
温水マットを使用した床暖房には、フローリング床仕上げ、コルクタイル仕上げ、畳仕上げ、カーペット仕上げ等がある。これらは、通常根太の上に張った下地合板の上に温水マットを敷設するという施工法がとられる。図３は従来の温水マットの平面図、図４は一部拡大断面とフローリング床仕上げの施工例である。図３、４において、１は発泡ポリエチレン製のマット本体、２はこのマット本体１に形成された４筋の配管溝、３はこの溝２内に配管された４本の架橋低密度ポリエチレン製の放熱パイプ、４はマット本体１内に交互に挿入された小根太、５は温水ヘッダーであって、ここから供給された温水は２本の放熱パイプ３内を矢印のように循環して、放熱を行う構成である。
【０００３】
図４において、６はマット本体１の表面全体に貼り付けられたアルミニウム箔製の放熱板であって、伝熱を高めるために使用されている。７はフローリング床、８はマット本体１の裏面において、小根太４を除いて貼り合わせられた不織布であって、この不織布８は、フローリング床７からの衝撃音を遮断することを目的としている。９は下地合板、１０は根太である。
【０００４】
【発明が解決しようとする課題】
しかし、上記温水マットにおいては、次のような欠点がある。
ａ．放熱パイプ３は小根太４間において、４本となり、この４本のピッチは小根太４の間隔によって決定してしまう。このため、温水マット全体において、できるだけ温度分布を均一化するためには、温水の戻り側であって温度低下した部分の放熱パイプのピッチを小さく（密に）して放熱量を増やす工夫が必要になるが、これができない。
ｂ．放熱パイプは、小根太４間において４本配管になるとコストが高くつき、２本配管になると放熱量が不足する。
【０００５】
【課題を解決するための手段】
本発明は、温水マットにおいて、小根太間の配管本数を４又は２本の偶数ではなく、３本の奇数配管とすることにより、上記した課題を解決するのが目的であって、その構成は次のとおりである。
１．マット本体に対して交互に小根太を一定間隔で挿入して成る温水マットにおいて、
前記小根太間を迂回させながら３本の放熱パイプを配管したこと、前記温水マットの一端に、１本の放熱パイプに結ばれた温水往きヘッダーと、２本の放熱パイプに結ばれた温水戻りヘッダーを取り付けたこと、前記温水往きヘッダーと温水戻りヘッダーが取り付けられた位置の反対側であって、３本の放熱パイプの端末に、３本の放熱パイプを相互に連通する端末ヘッダーを取り付けたこと、熱源機側から前記温水往きヘッダー内に供給された温水は、前記１本の放熱パイプを経由して前記端末ヘッダーに至り、ここで前記２本の放熱パイプに分岐され、この２本の放熱パイプを経由して前記戻りヘッダーに戻り、熱源機側に戻される構成から成る、ことを特徴とする床暖房用温水マット。
２．マット本体に対して交互に小根太を一定間隔で挿入して成る温水マットにおいて、
前記小根太間を迂回させながら３本の放熱パイプを配管したこと、前記温水マットの一端に、２本の放熱パイプに結ばれた温水往きヘッダーと、１本の放熱パイプに結ばれた温水戻りヘッダーを取り付けたこと、前記温水往きヘッダーと温水戻りヘッダーが取り付けられた位置の反対側であって、３本の放熱パイプの端末に、３本の放熱パイプを相互に連通する端末ヘッダーを取り付けたこと、熱源機側から前記温水往きヘッダー内に供給された温水は、前記２本の放熱パイプを経由して前記端末ヘッダーに至り、ここで前記１本の放熱パイプに集結され、前記１本の放熱パイプを経由して前記戻りヘッダーに戻り、熱源機側に戻される構成から成る、ことを特徴とする床暖房用温水マット。。
３．放熱パイプの配管ピッチを任意に変えて成る請求項１又は２記載の床暖房用温水マット。
【０００６】
【作用】
温水往きヘッダーからは１本の放熱パイプ内に約６０℃の温水が入り、マット本体内を経由して端末に至り、端末ヘッダー内に入る。端末ヘッダーでは、３本の放熱パイプが相互に連通しているため、残りの２本の放熱パイプ内に温水が流入し、この２本の放熱パイプを経由して温水戻りヘッダー内に戻る。この結果、約６０℃の温水は、高温で往く場合は１本の放熱パイプから放熱し、徐々に温度低下した温水は戻りになると２本の放熱パイプを経由して戻るため、戻りの流速は往きの約１／２になり、往きと戻りの放熱バランスが均衡する。この結果、温水マット全体の放熱量の均一化を図ることができる。なお、温水往きヘッダーを２本の放熱パイプに結んだとき、温水は往き側において放熱量が多く、温度分布が不均衡になるが、このような設計は、例えば部屋においてベッドが置かれる位置を放熱量の少ない端末側にするような場合に便利である。
【０００７】
【実施例】
図１及び図２に基づいて本発明の実施例を説明する。
１はマット本体、２ａ、２ｂ、２ｃは温水マット１に対して交互に挿入された小根太４内に形成されたＵ字状の配管溝、３ａ、３ｂ、３ｃは、前記配管溝２ａ、２ｂ、２ｃに配管された放熱パイプ、１１は温水マット１の左端において、放熱パイプ３ａに結ばれた温水往きヘッダー、１２は放熱パイプ３ｂ、３ｃに結ばれた温水戻りヘッダー、１３はマット本体１の右端において、放熱パイプ３ａ、３ｂ、３ｃのすべてに結ばれた端末ヘッダーであって、この端末ヘッダー１３は３本の放熱パイプ３ａ、３ｂ、３ｃがすべて連通する流路構成となっている。図２中７はフローリング床、８は不織布、９は下地合板、１０は根太である。
【０００８】
上記実施例の場合、温水往きヘッダー１１から１本の放熱パイプ３ａ内に流入した温水は、小根太４間を迂回しながら放熱を続けて端末に至り、端末ヘッダー１３からは２本の放熱パイプ３ｂ、３ｃ内に流入し、途中小根太４を迂回しながら放熱を続けて温水戻りヘッダー１２に戻る。
【０００９】
【発明の効果】
本発明は以上のように、温水マット内に３本の放熱パイプを配管し、往きと戻りの本数を変えた。この結果、次の効果を奏する。
ａ．温水マットにおいて、放熱温度の均一化が可能である。
ｂ．配管を従来の４本から３本に減らしたことにより、配管ピッチの自由度が大きくなり、この分、放熱の均一化を図ったり、或いは局部的な放熱変化を図るために配管ピッチを任意に変えることができる。
ｃ．配管を往きと戻りで１本と２本に分けることにより、往きと戻りの圧力損失を自由に変えて放熱量の調整を行うことができる。
【図面の簡単な説明】
【図１】本発明に係る温水マットの平面図。
【図２】本発明に係る温水マットの一部を示す断面図。
【図３】従来の温水マットの平面図。
【図４】従来の温水マットの一部を示す断面図。
【符号の説明】
１  温水マット
２ａ、２ｂ、２ｃ  配管溝
３ａ、３ｂ、３ｃ  放熱パイプ
４  小根太
１１  温水往きヘッダー
１２  温水戻りヘッダー
１３  端末ヘッダー
【図１】
0003659682.tif 000002
【図２】
0003659682.tif 000003
【図３】
0003659682.tif 000004
【図４】
0003659682.tif 000005